(57)【要約】 【課題】  医用画像管理装置において管理される医用画像データ及び付帯情報のデータ保存容量を軽減する。【解決手段】ＰＡＣＳ３０の制御部３１は、通信部３４を介してモダリティからＤＩＣＯＭ画像データを複数フレーム受信する。制御部３１は、このＤＩＣＯＭ画像データを医用画像データと付帯情報とに分離する。制御部３１は、複数フレーム分の付帯情報を１つの付帯情報ファイルとして記憶部３５に記憶させ管理する。制御部３１は、複数フレーム分の医用画像データを１つの画像ファイルとして記憶部３５に記憶させ管理する。【選択図】図４
2010257277.tif 000002
【特許請求の範囲】
【請求項１】
記憶手段と、
付帯情報が付帯された医用画像データを外部機器から複数フレーム受信する受信手段と、
前記受信した医用画像データから付帯情報を分離し、前記分離した複数フレーム分の付帯情報を１つの付帯情報ファイルとして前記記憶手段に記憶させ、前記付帯情報が分離された複数フレーム分の医用画像データを１つの画像ファイルとして前記記憶手段に記憶させる制御手段と、
を備える医用画像管理装置。
【請求項２】
前記制御手段は、前記画像ファイルを圧縮し、当該圧縮した画像ファイルを前記記憶手段に記憶させる、
請求項１に記載の医用画像管理装置。
【請求項３】
前記制御手段は、前記画像ファイルから一又は複数フレーム分の医用画像データを読み出し、当該医用画像データに基づいて一又は複数の医用画像を画面に表示させる、
請求項１又は２に記載の医用画像管理装置。
【請求項４】
前記付帯情報が付帯された医用画像データは、ＤＩＣＯＭ規格に則ったＤＩＣＯＭ画像データである、
請求項１〜３の何れか一項に記載の医用画像管理装置。
【請求項５】
コンピュータを、
記憶手段、
付帯情報が付帯された医用画像データを外部機器から複数フレーム受信する受信手段、
前記受信した医用画像データから付帯情報を分離し、前記分離した複数フレーム分の付帯情報を１つの付帯情報ファイルとして前記記憶手段に記憶させ、前記付帯情報が分離された複数フレーム分の医用画像データを１つの画像ファイルとして前記記憶手段に記憶させる制御手段、
として機能させるためのプログラム。
【発明の詳細な説明】
【技術分野】
【０００１】
本発明は、医用画像管理装置及びプログラムに関する。
【背景技術】
【０００２】
病院や診療所等の医療施設では、Ｘ線撮影装置等の医用画像撮影装置（モダリティ）を用いて患者の撮影が行われ、医用画像（医用画像データ）が生成される。そして、この医用画像に患者情報や検査情報等を含む付帯情報が付帯され、ＤＩＣＯＭ（Digital Imaging and Communication in Medicine）規格に準拠したＤＩＣＯＭ画像データが生成される。ＤＩＣＯＭとは、医用画像の通信及び保存フォーマットに関する標準規格であり、この規格に準拠することで、異なる医療機器間での相互通信性が確保される。
【０００３】
生成されたＤＩＣＯＭ画像データは、ＰＡＣＳ（Picture Archiving and Communication System）と呼ばれる医用画像管理システム（医用画像管理装置）に送信され、このＰＡＣＳにて記憶され管理される（ＰＡＣＳに登録される）。
【０００４】
例えば、ＤＩＣＯＭ画像データを管理するシステムとして、付帯情報が付帯された医用画像データを保管する第１のデータベースシステムと、付帯情報と医用画像データの保管位置を特定するポインタとから成るヘッダデータを保管する第２のデータベースシステムと、第２のデータベースシステムの所望のヘッダデータを指定しそれに対応する医用画像データを第１のデータベースに要求するべく前記ポインタを送り、その医用画像データを表示するワークステーションとを備えるシステムが開示されている（特許文献１参照）。
【先行技術文献】
【特許文献】
【０００５】
【特許文献１】特開平５−２５０４２２号公報
【発明の概要】
【発明が解決しようとする課題】
【０００６】
ところで、ＣＴ装置やＭＲ装置等のモダリティを用いた検査では、一度の撮影で、多数（例えば２０００枚）の医用画像が撮影される。そのため、ＰＡＣＳにて記憶され管理されるＤＩＣＯＭ画像データのデータ量は膨大になる。
【０００７】
本発明は、上述したような課題に鑑みて為されたものであり、その目的とするところは、医用画像管理装置において管理される医用画像データ及び付帯情報のデータ保存容量を軽減することである。
【課題を解決するための手段】
【０００８】
上記の課題を解決するために、請求項１に記載の医用画像管理装置は、
記憶手段と、
付帯情報が付帯された医用画像データを外部機器から複数フレーム受信する受信手段と、
前記受信した医用画像データから付帯情報を分離し、前記分離した複数フレーム分の付帯情報を１つの付帯情報ファイルとして前記記憶手段に記憶させ、前記付帯情報が分離された複数フレーム分の医用画像データを１つの画像ファイルとして前記記憶手段に記憶させる制御手段と、
を備える。
【０００９】
請求項２に記載の発明は、請求項１に記載の発明において、
前記制御手段は、前記画像ファイルを圧縮し、当該圧縮した画像ファイルを前記記憶手段に記憶させる。
【００１０】
請求項３に記載の発明は、請求項１又は２に記載の発明において、
前記制御手段は、前記画像ファイルから一又は複数フレーム分の医用画像データを読み出し、当該医用画像データに基づいて一又は複数の医用画像を画面に表示させる。
【００１１】
請求項４に記載の発明は、請求項１〜３の何れか一項に記載の発明において、
前記付帯情報が付帯された医用画像データは、ＤＩＣＯＭ規格に則ったＤＩＣＯＭ画像データである。
【００１２】
請求項５に記載のプログラムは、
コンピュータを、
記憶手段、
付帯情報が付帯された医用画像データを外部機器から複数フレーム受信する受信手段、
前記受信した医用画像データから付帯情報を分離し、前記分離した複数フレーム分の付帯情報を１つの付帯情報ファイルとして前記記憶手段に記憶させ、前記付帯情報が分離された複数フレーム分の医用画像データを１つの画像ファイルとして前記記憶手段に記憶させる制御手段、
として機能させる。
【発明の効果】
【００１３】
請求項１、５に記載の発明によれば、付帯情報が付帯された医用画像データを外部機器から複数フレーム受信し、この受信した医用画像データから付帯情報を分離し、前記分離した複数フレーム分の付帯情報を１つの付帯情報ファイルとして前記記憶手段に記憶させ、前記付帯情報が分離された複数フレーム分の医用画像データを１つの画像ファイルとして前記記憶手段に記憶させる。
【００１４】
そのため、医用画像管理装置において管理される医用画像データ及び付帯情報のデータ保存容量を軽減することができる。
【００１５】
請求項２に記載の発明によれば、前記画像ファイルを圧縮し、当該圧縮した画像ファイルを前記記憶手段に記憶させる。
【００１６】
そのため、医用画像管理装置において管理される医用画像データの保存容量を更に軽減することができる。また、１つのファイルを圧縮するため、短い処理時間でこの圧縮処理を行うことが可能である。
【００１７】
請求項３に記載の発明によれば、前記画像ファイルから一又は複数フレーム分の医用画像データを読み出し、当該医用画像データに基づいて一又は複数の医用画像を画面に表示させる。
【００１８】
そのため、ユーザが医用画像を参照する際の利便性が向上する。また、１つの画像ファイルから医用画像データを読み出す場合、画像ファイルのオープンとクローズは１回行えばよいので、短い処理時間で医用画像を画面に表示させることができる。
【００１９】
請求項４に記載の発明によれば、ＤＩＣＯＭ規格に則ったデータを扱うことができる。
【図面の簡単な説明】
【００２０】
【図１】放射線科システムのシステム構成の一例を示すシステム構成図である。
【図２】ＤＩＣＯＭ画像データのデータ構成図である。
【図３】モダリティで生成されたＤＩＣＯＭ画像データを、ＰＡＣＳが受信して記憶管理するイメージ図である。
【図４】ＰＡＣＳのブロック図である。
【図５】医用画像データ結合処理を示すフローチャートである。
【図６】画像ファイル更新処理を示すフローチャートである。
【図７】付帯情報ファイル更新処理を示すフローチャートである。
【図８】１フレーム目のＤＩＣＯＭ画像データフレームを受信した際の、データイメージ図である。
【図９】２フレーム目のＤＩＣＯＭ画像データフレームを受信した際の、データイメージ図である。
【図１０】医用画像データ読出処理を示すフローチャートである。
【発明を実施するための形態】
【００２１】
以下、本発明の医用画像管理装置を図１のＰＡＣＳ３０に適用した場合の実施形態について図１〜図１０を参照して説明する。
【００２２】
[放射線科システムのシステム構成]
先ず、ＰＡＣＳ３０を有する放射線科システム１００の概要について図１を用いて説明する。
【００２３】
図１は、放射線科システム１００のシステム構成の一例を示すブロック図である。図１によれば、放射線科システム１００は、ＲＩＳ１０と、モダリティ２０と、ＰＡＣＳ３０と、クライアント端末４０と、から構成されている。上記の各装置はＬＡＮ（Local Area Network）等の通信ネットワークＮを介してデータ通信可能に接続されている。
【００２４】
ＲＩＳ１０は、放射線科部門（放射線科システム１００）内における診療予約、診断結果のレポート、実績管理、材料在庫管理等の情報管理を行う。ＲＩＳ１０は、図示しない電子カルテシステム等において生成された撮影オーダ情報をモダリティ２０に送信する。
【００２５】
モダリティ２０は、ＲＩＳ１０から受信した撮影オーダ情報に従って、患者を撮影し、医用画像の画像データ（医用画像データ）を生成する撮影装置である。また、モダリティ２０は、前記撮影オーダ情報に基づいて、前記医用画像データに関する付帯情報を生成する。そして、モダリティ２０は、前記医用画像データに付帯情報を付帯させて、ＤＩＣＯＭ規格に則ったＤＩＣＯＭ画像データを生成し、ＰＡＣＳ３０に送信する。モダリティ２０としては、ＣＲ装置、ＣＴ装置、ＭＲ装置等、様々な種類の医用画像を撮影する撮影装置（医用画像撮影装置）が適用可能である。
【００２６】
図２に、モダリティ２０が生成するＤＩＣＯＭ画像データのデータ構成図を示す。前述したように、ＤＩＣＯＭ画像データは、付帯情報と医用画像データとから構成される。また、付帯情報は、患者情報、検査情報、シリーズ情報及び画像識別情報を含む。
【００２７】
患者情報は、患者ＩＤ、患者氏名、性別、生年月日、住所、職業等の患者に関する情報である。検査情報は、検査を識別する検査ＩＤ、検査名、検査日時、受付番号、検査目的、検査内容等の検査に関する情報である。シリーズ情報は、シリーズ番号、モダリティ名、手技、撮影部位、撮影方向、撮影技師名等の、一つの検査の中で生成されるモダリティ毎の一連の医用画像の単位（シリーズ）に関する情報である。画像識別情報は、画像を識別するＳＯＰインスタンスＵＩＤ、画像番号、画像サイズ等の医用画像に関する情報である。
【００２８】
図１に戻り、ＰＡＣＳ３０は、モダリティ２０において生成されたＤＩＣＯＭ画像データを保存管理し、検索やデータ解析を行うデータベースシステムである。ＰＡＣＳ３０は、モダリティ２０から受信したＤＩＣＯＭ画像データに含まれる付帯情報に基づいて当該ＤＩＣＯＭ画像データを、例えば、リレーショナルデータベースに蓄積記憶していく。そして、ＰＡＣＳ３０は、読影医等の操作指示に応じて指定された患者ＩＤや検査ＩＤ等を検索キーとしてＤＩＣＯＭ画像データを検索し、画像ビューワやイメージャに出力する。ＰＡＣＳ３０は、患者ＩＤや検査ＩＤ等の検索キーを含むＤＩＣＯＭ画像データ取得要求を外部機器から受信すると、この取得要求に応じたＤＩＣＯＭ画像データを検索して外部機器に提供（送信）する。
【００２９】
クライアント端末４０は、医用画像を表示するビューワ機能を有しており、読影医等の読影に供する端末である。クライアント端末４０は、ＤＩＣＯＭ画像データ取得要求をＰＡＣＳ３０に送信し、ＰＡＣＳ３０から取得要求に応じたＤＩＣＯＭ画像データを取得する。そして、クライアント端末４０は、取得したＤＩＣＯＭ画像データを表示する。
【００３０】
図３に、モダリティ２０で生成されたＤＩＣＯＭ画像データを、ＰＡＣＳ３０が受信して記憶管理するイメージ図を示す。
【００３１】
図３に示すように、モダリティ２０は、ＤＩＣＯＭ画像データをフレーム単位でＰＡＣＳ３０に送信する。ここで１フレームは医用画像１枚分に相当する。１検査において２０００枚の医用画像が撮影された場合、モダリティ２０は、ＰＡＣＳ３０にＤＩＣＯＭ画像データを２０００フレーム送信する。以下、ＤＩＣＯＭ画像データの１フレーム分をＤＩＣＯＭ画像データフレームと称す。
【００３２】
ＰＡＣＳ３０は、ある検査における１フレーム目のＤＩＣＯＭ画像データを受信すると、このＤＩＣＯＭ画像データフレームに含まれる付帯情報と医用画像データを分離する。ＰＡＣＳ３０は、分離した付帯情報を付帯情報ファイルとして、分離した医用画像データを画像ファイルとして記憶管理する。
【００３３】
また、ＰＡＣＳ３０は、同一検査において生成された２フレーム目以降のＤＩＣＯＭ画像データを受信すると、１フレーム目と同様に、このＤＩＣＯＭ画像データフレームに含まれる付帯情報と医用画像データを分離する。そして、ＰＡＣＳ３０は、分離した医用画像データを既に生成されている画像ファイルに格納する。
【００３４】
[ＰＡＣＳの機能的構成]
図４に、ＰＡＣＳ３０の機能的構成を示す。
【００３５】
図４に示すように、ＰＡＣＳ３０は、制御部３１、操作部３２、表示部３３、通信部３４、記憶部３５を備えて構成され、各部はバス３６により接続されている。
【００３６】
制御部３１は、ＣＰＵ（Central Processing Unit）、ＲＡＭ（Random Access Memory）等から構成され、ＰＡＣＳ３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００３７】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３８】
表示部３３は、ＬＣＤ（Liquid Crystal Display）により構成され、制御部３１から入力される表示データに基づいて各種画面を表示する。
【００３９】
通信部３４は、ＬＡＮ（Local Area Network）アダプタ、ルータ、ＴＡ（Terminal Adapter）等を備え、通信ネットワークＮを介して接続されたモダリティ２０、クライアント端末４０等の外部機器との間でデータの送受信を行う。
【００４０】
記憶部３５は、ハードディスク等から構成され、制御プログラム、当該プログラムの実行に必要なパラメータやファイル等を記憶している。また、記憶部３５は、モダリティ２０により生成されたＤＩＣＯＭ画像データに含まれる付帯情報を付帯情報ファイルとして記憶する。また、記憶部３５は、モダリティ２０により生成されたＤＩＣＯＭ画像データに含まれる医用画像データを画像ファイルとして記憶する。
【００４１】
また、記憶部３５は、ＤＩＣＯＭ画像データ、即ち、付帯情報ファイルと画像ファイルとを管理するためのプログラムである医用画像管理プログラム３５１を記憶する。
【００４２】
医用画像管理プログラム３５１と制御部３１とは協働して、記憶部３５に記憶されている付帯情報ファイルと画像ファイルとを管理する。
【００４３】
また、医用画像管理プログラム３５１と制御部３１とは協働して、医用画像データ結合処理を行う。医用画像データ結合処理については後述する。
【００４４】
また、医用画像管理プログラム３５１と制御部３１とは協働して、医用画像データ読出処理を行う。医用画像データ読出処理については後述する。
【００４５】
[医用画像データ結合処理]
次に、ＰＡＣＳ３０の制御部３１が医用画像管理プログラム３５１と協働して行う、医用画像データ結合処理の具体的な動作について、図５を用いて説明する。医用画像データ結合処理とは、モダリティ２０から送信される１検査分のＤＩＣＯＭ画像データを、１つの画像ファイルと、１つの付帯情報ファイルとして記憶部３５に記憶させて管理する処理である。
【００４６】
図５に示すように、制御部３１は、モダリティ２０から通信部３４を介してＤＩＣＯＭ画像データの１フレームを受信すると（ステップＳ１）、このＤＩＣＯＭ画像データフレームに含まれる医用画像データと付帯情報とを分離する（ステップＳ２）。
【００４７】
制御部３１は、分離した付帯情報に含まれる患者情報及び検査情報が既に存在しているか判定する（ステップＳ３）。具体的に、制御部３１は、分離した付帯情報に含まれる患者情報の「患者ＩＤ」を読み出す。また、制御部３１は、分離した付帯情報に含まれる検査情報の「検査ＩＤ」を読み出す。そして、制御部３１は、この「患者ＩＤ」「検査ＩＤ」と同じ値を持つ患者情報及び検査情報を格納した付帯情報ファイルを既に管理しているか否かを判定する。
【００４８】
ステップＳ３において、分離した付帯情報に含まれる患者情報及び検査情報が存在しないと判定すると（ステップＳ３；ＮＯ）、制御部３１は、分離した医用画像データを格納した画像ファイルを生成する（ステップＳ６）。そして、制御部３１は、分離した付帯情報を格納した付帯情報ファイルを生成する（ステップＳ７）。そして、制御部３１は、生成した画像ファイルと付帯情報ファイルとを関連付ける。
【００４９】
次に、制御部３１は、モダリティ２０から通信部３４を介してＤＩＣＯＭ画像データを全フレーム受信したか否かを判定する（ステップＳ８）。
【００５０】
一方、ステップＳ３において、分離した付帯情報に含まれる患者情報及び検査情報が既に存在すると判定すると（ステップＳ３；ＹＥＳ）、制御部３１は、画像ファイル更新処理を行う（ステップＳ４）。画像ファイル更新処理とは、画像ファイルに、分離した医用画像データを格納する処理である。そして、制御部３１は、付帯情報ファイル更新処理を行う（ステップＳ５）。付帯情報ファイル更新処理とは、付帯情報ファイルに、分離した付帯情報を格納する処理である。
【００５１】
次に、制御部３１は、モダリティ２０から通信部３４を介してＤＩＣＯＭ画像データを全フレーム受信したか否かを判定する（ステップＳ８）。
【００５２】
ステップＳ８において、ＤＩＣＯＭ画像データを全フレーム受信完了していないと判定すると（ステップＳ８；ＮＯ）、制御部３１は、モダリティ２０から通信部３４を介してＤＩＣＯＭ画像データの次の１フレームを受信し（ステップＳ１）、処理が繰り返される。
【００５３】
一方、ステップＳ８において、ＤＩＣＯＭ画像データを全フレーム受信完了したと判定すると（ステップＳ８；ＹＥＳ）、制御部３１は、画像ファイルを圧縮する（ステップＳ９）。そして、制御部３１は、付帯情報ファイルと画像ファイルとを記憶部３５に記憶させ、データベースに登録して管理する（ステップＳ１０）。以上で、医用画像データ結合処理が終了する。
【００５４】
[画像ファイル更新処理]
次に、医用画像データ結合処理内で実行される画像ファイル更新処理（図５：ステップＳ４）の具体的な動作について、図６を用いて説明する。
【００５５】
図６に示すように、制御部３１は、図５のステップＳ２において分離した付帯情報に含まれる患者情報及び検査情報を格納した付帯情報ファイルに関連付けられた画像ファイルを開く（オープンする）（ステップＳ１０１）。
【００５６】
制御部３１は、オープンした画像ファイルの終端を処理対象位置とする（終端に移動する）（ステップＳ１０２）。
【００５７】
制御部３１は、オープンした画像ファイルの終端から、図５のステップＳ２において分離した医用画像データを書き込む（ステップＳ１０３）。即ち、制御部３１は、医用画像データを１フレーム前の医用画像データの最後尾に結合する。
【００５８】
そして、制御部３１は、オープンした画像ファイルを閉じる（クローズする）（ステップＳ１０４）。以上で、画像ファイル更新処理が終了する。
【００５９】
[付帯情報ファイル更新処理]
次に、医用画像データ結合処理内で実行される付帯情報ファイル更新処理（図５：ステップＳ５）の具体的な動作について、図７を用いて説明する。
【００６０】
図７に示すように、制御部３１は、図５のステップＳ２において分離した付帯情報に含まれる患者情報及び検査情報を格納した付帯情報ファイルを開く（オープンする）（ステップＳ２０１）。
【００６１】
制御部３１は、オープンした付帯情報ファイルの終端を処理対象位置とする（終端に移動する）（ステップＳ２０２）。
【００６２】
制御部３１は、図５のステップＳ２において分離した付帯情報に含まれる画像識別情報に、図５のステップＳ２において分離した医用画像データの画像ファイルにおける格納アドレスを新たに記憶させる。そして、制御部３１は、オープンした付帯情報ファイルの終端からこの画像識別情報を書き込む（ステップＳ２０３）。
【００６３】
そして、制御部３１は、オープンした付帯情報ファイルを閉じる（クローズする）（ステップＳ２０４）。以上で、付帯情報ファイル更新処理が終了する。
【００６４】
[医用画像データ結合処理の処理フローの一例]
次に、モダリティ２０において、１検査で２０００枚の医用画像が撮影され、ＤＩＣＯＭ画像データが２０００フレーム生成された場合における、医用画像データ結合処理について、図５、図８、図９を用いて説明する。
【００６５】
図５に示すように、まず、制御部３１は、モダリティ２０から通信部３４を介してＤＩＣＯＭ画像データの最初の１フレームを受信すると（ステップＳ１）、このＤＩＣＯＭ画像データフレームに含まれる医用画像データと付帯情報とを分離する（ステップＳ２）。
【００６６】
そして、制御部３１は、分離した付帯情報に含まれる患者情報及び検査情報が存在していないと判定し（ステップＳ３；ＮＯ）、分離した医用画像データを格納した画像ファイルを生成し（ステップＳ６）、分離した付帯情報を格納した付帯情報ファイルを生成する（ステップＳ７）。そして、制御部３１は、生成した画像ファイルと付帯情報ファイルとを関連付ける。
【００６７】
具体的には、図８に示すように、制御部３１は、１フレーム目の医用画像データを格納した画像ファイルと、１フレーム目の患者情報、検査情報、シリーズ情報及び画像識別情報を格納した付帯情報ファイルと、を生成する。この際、制御部３１は、この画像識別情報に、１フレーム目の医用画像データの画像ファイルにおける格納アドレスを新たに記憶させる。
【００６８】
図５に戻り、制御部３１は、モダリティ２０から通信部３４を介してＤＩＣＯＭ画像データを全フレーム（２０００フレーム）受信したか否かを判定する（ステップＳ８）。
【００６９】
ステップＳ８において、制御部３１は、ＤＩＣＯＭ画像データを全フレーム受信完了していないと判定する（ステップＳ８；ＮＯ）。そして、制御部３１は、モダリティ２０から通信部３４を介してＤＩＣＯＭ画像データの次の１フレーム（２フレーム目）を受信する（ステップＳ１）。そして、制御部３１は、このＤＩＣＯＭ画像データに含まれる医用画像データと付帯情報とを分離する（ステップＳ２）。
【００７０】
そして、制御部３１は、分離した付帯情報に含まれる患者情報及び検査情報が既に存在すると判定し（ステップＳ３；ＹＥＳ）、画像ファイル更新処理を行い（ステップＳ４）、付帯情報ファイル更新処理を行う（ステップＳ５）。
【００７１】
具体的には、図９に示すように、制御部３１は、分離された２フレーム目の医用画像データを画像ファイルに格納する。また、制御部３１は、分離された２フレーム目の付帯情報に含まれる画像識別情報を付帯情報ファイルに格納する。この際、制御部３１は、この画像識別情報に、２フレーム目の医用画像データの画像ファイルにおける格納アドレスを新たに記憶させる。
【００７２】
図５に戻り、制御部３１は、モダリティ２０から通信部３４を介してＤＩＣＯＭ画像データを全フレーム（２０００フレーム）受信したか否かを判定する（ステップＳ８）。
【００７３】
制御部３１は、３フレーム目から２０００フレーム目まで、ステップＳ１、ステップＳ２、ステップＳ３、ステップＳ４、ステップＳ５、ステップＳ８の処理を繰り返す。そして、制御部３１は、２０００フレーム目のステップＳ８の判定において、ＤＩＣＯＭ画像データを全フレーム受信完了したと判定する（ステップＳ８；ＹＥＳ）。
【００７４】
そして、制御部３１は、画像ファイルを圧縮する（ステップＳ９）。そして、制御部３１は、付帯情報ファイルと画像ファイルとを記憶部３５に記憶させ、データベースに登録して管理する（ステップＳ１０）。以上で、医用画像データ結合処理が終了する。
【００７５】
[医用画像データ読出処理]
次に、ＰＡＣＳ３０の制御部３１が医用画像管理プログラム３５１と協働して行う、医用画像データ読出処理の具体的な動作について、図１０を用いて説明する。
【００７６】
医用画像データ読出処理に先立って、読影医は、リスト等から画像を選択し、表示部３３に選択された画像を表示する旨のユーザ操作を操作部３２に対して行う。
【００７７】
図１０に示すように、制御部３１は、操作部３２からの操作信号に基づいて、画面（表示部３３）に表示させる医用画像データを指定する（ステップＳ３０１）。具体的に、制御部３１は、「患者ＩＤ」「検査ＩＤ」「画像番号」を指定する。「画像番号」は、一又は複数指定される。
【００７８】
制御部３１は、指定した医用画像データを含む画像ファイルを解凍する（ステップＳ３０２）。具体的に、制御部３１は、指定した「患者ＩＤ」「検査ＩＤ」を持つ付帯情報ファイルを特定する。そして、制御部３１は、この付帯情報ファイルに関連付けられている画像ファイルを解凍する。
【００７９】
制御部３１は、解凍した画像ファイルを開く（オープンする）（ステップＳ３０３）。
【００８０】
制御部３１は、指定した「患者ＩＤ」「検査ＩＤ」を持つ付帯情報ファイルをオープンして参照し、画面に表示させる医用画像データの、画像ファイルにおける格納アドレスを取得する（ステップＳ３０４）。
【００８１】
具体的に、制御部３１は、指定した「患者ＩＤ」「検査ＩＤ」を持つ付帯情報ファイルの複数フレーム分の画像識別情報の中から、指定した「画像番号」を持つ画像識別情報を特定する。制御部３１は、特定した画像識別情報に含まれる医用画像データの格納アドレスを取得する。
【００８２】
ここで、制御部３１は、複数の「画像番号」を指定した場合、指定した「画像番号」を持つ画像識別情報を複数特定する。そして、制御部３１は、特定した画像識別情報に含まれる医用画像データの格納アドレスを複数取得する。
【００８３】
次に、制御部３１は、オープンした画像ファイルの、一又は複数の取得した格納アドレスに格納されている医用画像データをこの画像ファイルから読み出す（ステップＳ３０５）。
【００８４】
制御部３１は、オープンした画像ファイルを閉じる（クローズする）（ステップＳ３０６）。
【００８５】
制御部３１は、ステップＳ３０５において読み出した医用画像データに基づいて、一又は複数の医用画像を表示部３３に表示させる（ステップＳ３０７）。以上で、医用画像データ読出処理が終了する。
【００８６】
以上、第１の実施の形態によれば、ＰＡＣＳ３０の制御部３１は、通信部３４を介してモダリティ２０からＤＩＣＯＭ画像データを複数フレーム受信する。制御部３１は、このＤＩＣＯＭ画像データを医用画像データと付帯情報とに分離する。制御部３１は、複数フレーム分の付帯情報を１つの付帯情報ファイルとして記憶部３５に記憶させ管理する。制御部３１は、複数フレーム分の医用画像データを１つの画像ファイルとして記憶部３５に記憶させ管理する。即ち、制御部３１は、１検査分のＤＩＣＯＭ画像データを１つの付帯情報ファイルと１つの画像ファイルとして管理する。
【００８７】
そのため、医用画像管理装置（ＰＡＣＳ３０）において管理される医用画像データ及び付帯情報のデータ保存容量を軽減することができる。
【００８８】
また、医用画像データを圧縮して保存する場合、１検査分の医用画像データが１つの画像ファイルに格納されているため、短い処理時間でこの圧縮処理を行うことが可能である。
【００８９】
また、１検査分の医用画像を画面に表示させる場合、１つの画像ファイルから医用画像データを読み出すので、画像ファイルのオープンとクローズを１回行えばよい。そのため、短い処理時間で医用画像を画面に表示することができる。
【００９０】
また、付帯情報ファイルにおいて、複数フレームに共通する患者情報と検査情報は１フレーム分のみ格納される。そのため、付帯情報のデータ保存容量を更に軽減することができる。
【００９１】
尚、本実施形態における記述は、本発明に係る医用画像管理装置の一例であり、これに限定されるものではない。システム及び各装置の細部構成及び細部動作に関しても適宜変更可能である。
【００９２】
例えば、制御部３１は、モダリティ２０からＤＩＣＯＭ画像データを受信すると、このＤＩＣＯＭ画像データを付帯情報と医用画像データとに分離せずに記憶部３５に記憶させ管理する。そして、制御部３１は、ユーザ操作による操作部３２からの操作信号が入力されたときに、医用画像データ結合処理の実行を開始する構成としてもよい。
【００９３】
また、例えば、医用画像データ読出処理において、クライアント端末４０の操作部に対してリスト等から画像を選択する旨のユーザ操作、選択した画像を表示する旨のユーザ操作を行うこととしてもよい。そして、制御部３１が医用画像をクライアント端末４０の画面に表示させる構成としてもよい。
【００９４】
また、本実施形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【００９５】
１０      ＲＩＳ
２０      モダリティ
３０      ＰＡＣＳ
３１      制御部
３２      操作部
３３      表示部
３４      通信部
３５      記憶部
３６      バス
４０      クライアント端末
１００    放射線科システム
３５１    医用画像管理プログラム
Ｎ        通信ネットワーク
【図１】
2010257277.tif 000003
【図２】
2010257277.tif 000004
【図３】
2010257277.tif 000005
【図４】
2010257277.tif 000006
【図５】
2010257277.tif 000007
【図６】
2010257277.tif 000008
【図７】
2010257277.tif 000009
【図８】
2010257277.tif 000010
【図９】
2010257277.tif 000011
【図１０】
2010257277.tif 000012